(57)【要約】【課題】冷媒通過音が伝搬される一方の冷媒出入口配管部の音を他方の冷媒出入口配管部により遮音して、膨張弁における冷媒通過音の放射を低減した膨張弁を提供すること。【解決手段】ステッピングモータにより駆動されるニードル弁部と、ニードル弁部が離接する弁座と、弁座が中央部に形成された弁座形成壁と、弁座形成壁の一方側に形成された弁室と、弁座を取り巻くように弁座形成壁に形成された貫通孔と、貫通孔を介し弁室に連通するように弁座形成壁の他方側に接続された外管部、及び、弁座を介し弁室に連通するように外管部と同心状に弁座形成壁の他方側に接続された内管部からなる冷媒出入口配管部とを備える。【選択図】　　　　図２
2004093016.tif 000002
【特許請求の範囲】
【請求項１】
ステッピングモータにより駆動されるニードル弁部と、
ニードル弁部が離接する弁座と、
弁座が中央部に形成された弁座形成壁と、
弁座形成壁の一方側に形成された弁室と、
弁座を取り巻くように弁座形成壁に形成された貫通孔と、
貫通孔を介し弁室に連通するように弁座形成壁の他方側に接続された外管部、及び、弁座を介し弁室に連通するように外管部と同心状に弁座形成壁の他方側に接続された内管部からなる二重配管に形成された冷媒出入口配管部と
を備えた膨張弁。
【請求項２】
弁室の内面形状、貫通孔を形成する面形状、及び、弁座を形成する面形状が冷媒流に対応する滑らかな形状に形成された請求項１記載の膨張弁。
【請求項３】
請求項１又は２記載の膨張弁を用いた冷凍装置。
【発明の詳細な説明】
【０００１】
【発明の属する技術分野】
本発明は、冷凍装置等に用いられる膨張弁、特に、膨張弁の冷媒通過音の低下に関する。
【０００２】
【従来の技術】
従来冷凍装置に用いられるステッピングモータで駆動される電動膨張弁の基本的な構造を図６に示す。
この図に示すように、従来の膨張弁は、弁本体１０１を仕切壁１０２により上下に二分し、仕切壁１０２の上部をステッピングモータ１１０のロータ１１１を収納するロータ室１１２とし、下方を弁室１２０としている。ステッピングモータ１１０のステータ１１３はロータ室１１２の外部に取り付けられている。
【０００３】
ロータ１１１には弁棒１２１の一端が固定されている。したがって、この弁棒１２１は、ステッピングモータ１１０の駆動によりロータ１１１とともに回転する。
また、弁棒１２１は、中間部が仕切壁１０２に形成されたネジ部１２２に螺合されている。したがって、弁棒１２１は、ネジ部１２２において弁棒１２１の回転運動が軸方向の運動に変換される。
また、弁棒１２１は、先端部がニードル弁部１２３として形成されている。
【０００４】
弁室１２０の側壁には一方の冷媒出入口配管部１３１が接続されている。また、弁室１２０の下方には、中央部に弁座１２４が形成された弁座形成壁１２５が設けられている。また、この弁座形成壁１２５の下面には、弁座１２４に連通する他方の冷媒出入口配管部１３２が接続されている。
【０００５】
以上のように構成された膨張弁は、ステッピングモータ１１０を駆動することにより弁座１２４に対しニードル弁部１２３が離接される。また、ステッピングモータ１１０の回転角を制御することにより、弁座１２４のオリフィス（絞り）の開度を制御するように形成されている。
【０００６】
【発明が解決しようとする課題】
上記構成の膨張弁は、例えば多室型ヒートポンプ式空気調和機に用いられるが、据え付け条件や運転条件などにより、膨張弁に入る手前で気泡が発生して二相冷媒流となり、この気泡が大きく成長して冷媒流れ中に大きな気泡が断続的に存在するスラグ流やプラグ流となることがある。そして、スラグ流やプラグ流が上述の膨張弁に流入すると、気液の速度差により弁座１２４部分で圧力変動が生じ、弁座１２４部分で「ジュルジュル」あるいは「チュルチュル」などと表現される不連続の冷媒流動音が発生することが問題となっていた。
そこで、本発明者は、この冷媒流動音の発生について調べたところ、従来の膨張弁において、弁座１２４部分で発生したこの不連続の冷媒流動音は、弁本体１０１を介して冷媒出入口配管部１３１、１３２に伝搬して室内に放射されていることが分かった。また、本発明者は、従来の膨張弁は、冷媒出入口配管部１３１、１３２が別々に弁本体１０１に対し設けられているので、上記気液二相流が膨張弁に流入した際に発生する冷媒通過音が放射されやすい構造になっていることが分かった。
【０００７】
本発明は、このような従来技術に存在する問題点に着目して成されたものである。その目的とするところは、冷媒通過音が伝搬される一方の冷媒出入口配管部の音を他方の冷媒出入口配管部により遮音して、膨張弁における冷媒通過音の放射を低減した膨張弁を提供することにある。
【０００８】
【課題を解決するための手段】
上記目的を達成するために、本発明に係る膨張弁は、ステッピングモータにより駆動されるニードル弁部と、ニードル弁部が離接する弁座と、弁座が中央部に形成された弁座形成壁と、弁座形成壁の一方側に形成された弁室と、弁座を取り巻くように弁座形成壁に形成された貫通孔と、貫通孔を介し弁室に連通するように弁座形成壁の他方側に接続された外管部、及び、弁座を介し弁室に連通するように外管部と同心状に弁座形成壁の他方側に接続された内管部からなる冷媒出入口配管部とを備えたことを特徴とする。
【０００９】
このように構成した本発明によれば、膨張弁に流入する冷媒は、冷媒出入口配管部の内管部又は外管部の何れか一方から流入し、弁座を通過する際に弁座を構成するオリフィスで絞られた後、外管部又は内管部の何れか一方から流出する。そして、膨張弁の弁座で冷媒流動音が発生した場合は、この音が冷媒出入口配管部に伝播されるが、冷媒出入口配管部が内管部と外管部からなる二重配管に形成されていることにより、内管部からの放射音が外管部で遮音される。これにより従来の膨張弁に比し冷媒出入口配管部からの音の放射が低減される。
また、膨張弁の冷媒出入口配管部が二重配管に形成されていることにより、弁座通過前後の温度状態の異なる冷媒同士が熱交換される。これにより、弁座通過前の冷媒は弁座通過後の冷媒により冷却される。したがって、弁座通過前の冷媒の乾き度が小さくなり、弁座通過時の冷媒の圧力変動が緩和され、冷媒通過音が低減される。なお、この低減効果は、冷媒流量が少なく、流入側が高温の二相流になっている場合に顕著になる。
【００１０】
また、上記構成の膨張弁において、弁室の内面形状、貫通孔を形成する面形状、及び、弁座を形成する面形状を冷媒流に対応する滑らかな形状とすることが好ましい。
このように構成すれば、膨張弁を通過する冷媒の急激な方向転換や断面形状変化による乱れを緩和することで圧力変動を抑制でき、冷媒通過音の低減効果をより効果的に発揮させることができる。
【００１１】
また、上記のように構成された膨張弁を用いて冷凍装置を形成すると、膨張弁における冷媒通過音を小さくすることができ、静粛な冷凍運転を行うことができる。
【００１２】
【発明の実施の形態】
実施の形態１．
以下、この発明を冷凍装置の一つであるヒートポンプ式多室型空気調和機に具体化した実施の形態を図１乃至図３に基づき詳細に説明する。なお、図１は本発明の実施の形態１に係る多室型空気調和機の冷媒回路図であり、図２は同空気調和機に用いられている膨張弁の縦断面図であり、図３は同膨張弁における弁座形成壁の水平断面図である。
【００１３】
本実施の形態に係るヒートポンプ式多室型空気調和機は、図１に示すように室外ユニット１に対し連絡配管３、４を使用して複数台の室内ユニット２が接続されている。
【００１４】
また、図１に示されるように、室外ユニット１には、圧縮機５、室外コイル６、室外ファン７、従来公知のステッピングモータ駆動型暖房専用膨張弁８、四路切換弁９などが収納され冷媒配管により接続されている。また、室内ユニット２には、室内コイル１０、室内ファン１１、本発明に係るステッピングモータ駆動型冷暖房用膨張弁２０などが収納され冷媒配管により接続されている。
【００１５】
冷暖房用膨張弁２０の弁本体２１は、弁室２２を備えた弁室部２３を中央部として一端側にロータ室２４、他端側に冷媒出入口配管部２５が設けられている。そして、弁室２２とロータ室２４との間には仕切壁２６が形成され、また、弁室２２と冷媒出入口配管部２５との間には弁座形成壁２７が設けられている。
【００１６】
ロータ室２４には、ステッピングモータ３０のロータ３１が収納され、ロータ室２４の外部には、ステッピングモータ３０のステータ３２が取り付けられている。
【００１７】
また、ロータ３１には、弁棒４１の一端が固定されている。したがって、この弁棒４１は、ステッピングモータ３０の駆動によりロータ３１とともに回転する。
また、この弁棒４１は、中間部が仕切壁２６に形成されたネジ部４２に螺合され、先端部がニードル弁部４３として形成されている。したがって、弁棒４１は、ネジ部４２において弁棒４１の回転運動が軸方向の運動に変換される。
【００１８】
冷媒出入口配管部２５は、外管部４６の内部に内管部４５が同心状に配置されている。内管部４５はストレートに延びる形状を成し、外管部４６は略Ｌ字型の形状を成している。また、内管部４５、外管部４６はそれぞれ膨張弁２０の出入口配管に接続される出入口部４７、４８が形成されている。
【００１９】
弁座形成壁２７の中心部には、オリフィス５１を有する弁座５２が形成され、また、弁座形成壁２７の周辺部には、弁座５２を取り巻くように弁室２２と外管部４６とを連通する貫通孔５３が形成されている。
【００２０】
また、弁室２２の内面形状、貫通孔５３を形成する面形状、及び、弁座５２のオリフィス５１を形成する面形状が冷媒流に対応する滑らかな形状として形成されている（図１参照）。
【００２１】
上記のように形成された膨張弁２０は、ステッピングモータ３０を駆動することにより弁座５２に対しニードル弁部４３を離接することが可能であり、冷房運転時及び暖房運転時には、ステッピングモータ３０の回転角を制御することにより弁座５２のオリフィス５１の開度が適宜制御される。
【００２２】
上記のように構成されたヒートポンプ式多室型空気調和機は、次のように運転される。
冷房運転時には、四路切換弁９は図示実線の切換位置とされる。また、暖房専用膨張弁８のステッピングモータ及び冷暖房用膨張弁２０のステッピングモータ３０を制御して、暖房専用膨張弁８は全開とされ、冷暖房用膨張弁２０は室内コイル１０出口の過熱度が所定値となるように開度調整される。
この冷房運転時においては、圧縮機５から吐出された冷媒は、四路切換弁９、室外コイル６、暖房専用膨張弁８、連絡配管３、冷暖房用膨張弁２０、室内コイル１０、連絡配管４、四路切換弁９、圧縮機５と循環する。このとき室外コイル６が凝縮器として作用し、室内コイル１０が蒸発器として作用するので、室内空気は室内コイル１０で冷却減湿され冷房が行われる。
【００２３】
一方、暖房運転時には、四路切換弁９は図示点線の切換位置とされる。また、暖房専用膨張弁８のステッピングモータ及び冷暖房用膨張弁２０のステッピングモータ３０を制御して、冷暖房用膨張弁２０は、冷媒が少し減圧される程度の開度とされ、暖房専用膨張弁８は、室外コイル６出口の過熱度が所定値となるように開度調整される。
この暖房運転時においては、圧縮機５から吐出された冷媒は、四路切換弁９、連絡配管４、室内コイル１０、冷暖房用膨張弁２０、連絡配管３、暖房専用膨張弁８、室外コイル６、四路切換弁９、圧縮機５と循環する。このとき室内コイル１０が凝縮器として作用し、室外コイル６が蒸発器として作用するので、室内空気は室内コイル１０で加熱され暖房が行われる。
【００２４】
以上のように構成された本実施の形態によれば、次のように作用する。
上記冷房又は暖房運転において、冷暖房用膨張弁２０に流入する冷媒は、冷媒出入口配管部２５の内管部４５又は外管部４６の何れか一方から流入し、弁座５２を通過する際に弁座５２を構成するオリフィス５１で絞られた後、外管部４６又は内管部４５の何れか一方から流出する。
【００２５】
このとき、冷媒出入口配管部２５が二重配管に形成されていることにより、弁座５２通過前の冷媒と弁座５２通過後の減圧低温になった冷媒とが熱交換される。したがって、仮に気泡を含む冷媒が冷暖房用膨張弁２０に流入してきたとしても、この冷媒は弁座５２通過後の冷媒により冷却され、その乾き度が小さくなる。この結果、弁座５２通過時の冷媒の圧力変動が緩和され、冷媒通過音が低減される。なお、冷媒流量が少なく、流入側が高温の二相流になっている場合にこの冷媒通過音が顕著に低減される。
【００２６】
また、冷媒出入口配管部２５における弁座５２通過前後の冷媒間の熱交換により弁座５２入口側の気泡が消滅しないときには、弁座５２通過時に冷媒通過音が発生し、この音が冷媒出入口配管部２５に伝播されて室内に放射される。しかし、冷媒出入口配管部２５が内管部４５と外管部４６とからなる二重配管に形成されていることにより、内管部４５からの放射音が外管部で４６遮音される。したがって、従来の膨張弁に比し冷媒出入口配管部からの音の放射が低減される。
【００２７】
また、冷暖房用膨張弁２０では、弁室２２の内面形状、貫通孔５３を形成する面形状、及び、弁座５２を形成する面形状を冷媒流に対応する滑らかな形状とされているので、冷暖房用膨張弁２０を通過する冷媒の急激な方向転換や断面形状変化による乱れを緩和することで圧力変動を抑制でき、冷媒通過音の低減効果をより効果的に発揮させることができる。
【００２８】
また、本実施の形態においては、上記のように構成された冷暖房用膨張弁２０を用いた冷凍装置としてのヒートポンプ式多室型空気調和機を形成しているので、静粛な空気調和装置を提供することができる。
【００２９】
実施の形態２．
本発明は、上記実施の形態１では冷凍装置の一つであるヒートポンプ式多室型空気調和機に具体化されていたが、このような冷凍装置ばかりではなく、他の冷凍装置にも適用可能である。実施の形態２はその一例を示す。なお、図４は本発明の実施の形態２に係る冷房、暖房及び除湿運転可能な空気調和機の冷媒回路図である。
【００３０】
本実施の形態２に係る冷房、暖房及び除湿運転可能な空気調和機は、図４に示すように室外ユニット６０に対し連絡配管６３、６４を使用して１台の室内ユニット７０が接続されている。
【００３１】
また、図４に示されるように、室外ユニット６０には、圧縮機６５、室外コイル６６、室外ファン６７、従来公知のステッピングモータ駆動型冷暖房用膨張弁６８、四路切換弁６９などが収納され、冷媒配管により接続されている。また、室内ユニット７０には、第１室内コイル７１、第２室内コイル７２、室内ファン７３、実施の形態１の冷暖房用膨張弁２０と同じ構成の除湿用膨張弁２０などが収納されている。
【００３２】
上記のように構成されたこの空気調和機は、次のように運転される。
冷房運転時には、四路切換弁６９は図示実線の切換位置とされる。また、冷暖房用膨張弁６８のステッピングモータ及び除湿用膨張弁２０のステッピングモータ３０を制御して、冷暖房用膨張弁６８は圧縮機吸入ガスの過熱度が所定値となるように開度調整され、除湿用膨張弁２０は全開とされる。
この冷房運転時においては、圧縮機６５から吐出された冷媒は、四路切換弁６９、室外コイル６６、冷暖房用膨張弁６８、連絡配管６３、第１室内コイル７１．除湿用膨張弁２０、第２室内コイル７２、連絡配管６４、四路切換弁６９、圧縮機６５と循環する。このとき室外コイル６６が凝縮器として作用し、第１及び第２室内コイル７１、７２が蒸発器として作用するので、室内空気は室内コイル７１、７２で冷却減湿され冷房が行われる。
【００３３】
また、暖房運転時には、四路切換弁６９は図示点線の切換位置とされる。また、冷暖房用膨張弁６８のステッピングモータ及び除湿用膨張弁２０のステッピングモータ３０を制御して、冷暖房用膨張弁６８は、室外コイル６６出口の過熱度が所定値となるように開度調整され、除湿用膨張弁２０は全開とされる。
この暖房運転時においては、圧縮機６５から吐出された冷媒は、四路切換弁６９、連絡配管６４、第２室内コイル７２、除湿用膨張弁２０、第１室内コイル７１、連絡配管６３、冷暖房用膨張弁６８、室外コイル６６、四路切換弁６９、圧縮機６５と循環する。このとき室内コイル７１、７２が凝縮器として作用し、室外コイル６６が蒸発器として作用するので、室内空気は第１室内コイル７１及び第２室内コイル７２で加熱され暖房が行われる。
【００３４】
また、除湿運転時には、四路切換弁６９は図示実線の切換位置とされる。また、冷暖房用膨張弁６８のステッピングモータ及び除湿用膨張弁２０のステッピングモータ３０を制御して、冷暖房用膨張弁６８は全開とされ、除湿用膨張弁２０は第２室内コイル７２出口の過熱度が所定値となるように開度調整される。
この除湿運転時においては、圧縮機６５から吐出された冷媒は、四路切換弁６９、室外コイル６６、冷暖房用膨張弁６８、連絡配管６３、第１室内コイル７１．除湿用膨張弁２０、第２室内コイル７２、連絡配管６４、四路切換弁６９、圧縮機６５と循環する。このとき室外コイル６６及び第１室内コイル７１が凝縮器として作用し、第２室内コイル７２が蒸発器として作用するので、室内空気は第２室内コイル７２で冷却減湿され、第１室内コイルで再熱されて、室内空気の除湿が行われる。
【００３５】
以上のごとく構成された実施の形態２の冷房、暖房及び除湿運転可能な空気調和機では、室内ユニット７０に収納されている除湿用膨張弁２０に対し除湿運転時室外コイル６６及び第１室内コイル７１で凝縮した冷媒が流れてくる。また、この冷媒中に気泡が含まれる２相冷媒流となって流れ込んできた場合には、弁座５２を通過するときの圧力変動により冷媒通過音が発生する。
【００３６】
しかし、このような場合が仮に発生しても、除湿用膨張弁２０が実施の形態１の冷暖房用膨張弁２０と同様の構成を有するので、弁座５２通過時の冷媒の乾き度が小さくなり、冷媒通過音が低下する。また、除湿用膨張弁２０の冷媒出入口配管部２５が内管部４５と外管部４６とからなる二重配管に形成されていることにより、内管部４５からの放射音が外管部で４６遮音される。したがって、従来の膨張弁に比し冷媒出入口配管部からの音の放射が低減される。さらに、除湿用膨張弁２０の弁室２２の内面形状、貫通孔５３を形成する面形状及び弁座５２を形成する面形状が冷媒流に対応する滑らかな形状とされているので、除湿用膨張弁２０を通過する冷媒の急激な方向転換や断面形状変化による乱れを緩和することで圧力変動を抑制でき冷媒通過音の低減効果をより効果的に発揮させることができる。
【００３７】
以上説明した実施の形態１及び実施の形態２では、室内ユニット２、７０の膨張弁２０にのみ本発明に係る膨張弁を用いているが、室外ユニット１、６０についても静かな運転音が要求される場合は、室外ユニット１、６０の膨張弁８、６８に本発明に係る膨張弁を用いてもよい。この場合には室外ユニット１、６０の膨張弁から発生する圧力変動に基づく冷媒通過音を上記と同様の作用により低減することができる。
【００３８】
実施の形態３．
実施の形態３は、本願発明に係る膨張弁を、空気調和機の室外ユニットに使用した例を示すものである。この実施の形態３に係る空気調和機は、１台の室外ユニットに対し１台の室内ユニットを接続したものである。図５は、その冷媒回路図である。従来、室外ユニットにおいては、圧縮機や送風音が支配的であるため冷媒通過音は問題視されていなかったが、近年、圧縮機の騒音や送風音の低減が進んだことにより室外機においても冷媒通過音が顕在化しており、そのような場合に本発明に係る電動膨張弁を用いると騒音低減効果がある。
【００３９】
本実施の形態３に係る冷暖房用空気調和機は、図５に示すように室外ユニット８０に対し連絡配管８３、８４を使用して１台の室内ユニット９０が接続されている。
【００４０】
また、図５に示されるように、室外ユニット８０には、圧縮機８５、室外コイル８６、室外ファン８７、実施の形態１の冷暖房用膨張弁２０と同じ構成の冷暖房用膨張弁２０、四路切換弁８９などが収納され、冷媒配管により接続されている。また、室内ユニット９０には、室内コイル９１、室内ファン９３などが収納されている。
【００４１】
上記のように構成されたこの空気調和機は、次のように運転される。
冷房運転時には、四路切換弁８９は図示実線の切換位置とされる。また、膨張弁２０のステッピングモータ３０を制御して圧縮機吸入ガスの過熱度が所定値となるように開度調整される。
この冷房運転時においては、圧縮機８５から吐出された冷媒は、四路切換弁８９、室外コイル８６、膨張弁２０、連絡配管８３、室内コイル９１、連絡配管８４、四路切換弁８９、圧縮機８５と循環する。このとき室外コイル８６が凝縮器として作用し、室内コイル９１が蒸発器として作用するので、室内空気は室内コイル９１で冷却減湿され冷房が行われる。
【００４２】
また、暖房運転時には、四路切換弁８９は図示点線の切換位置とされる。また、膨張弁２０のステッピングモータ３０を制御して、室外コイル８６出口の過熱度が所定値となるように開度調整される。
この暖房運転時においては、圧縮機８５から吐出された冷媒は、四路切換弁８９、連絡配管８４、室内コイル９１、連絡配管８３、膨張弁２０、室外コイル８６、四路切換弁８９、圧縮機８５と循環する。このとき室内コイル９１が凝縮器として作用し、室外コイル８６が蒸発器として作用するので、室内空気は室内コイル９１で加熱され暖房が行われる。
【００４３】
以上のごとく構成された実施の形態３の冷暖房用空気調和機では、室外ユニット８０に収納されている膨張弁２０に対し、気泡が含まれる２相冷媒流が流れ込んできて弁座５２を通過するときの圧力変動により冷媒通過音が発生しても、内管部４５からの放射音が外管部で４６遮音されるので、冷媒通過音は従来の膨張弁を使用している場合よりも小さくなる。また、弁座５２通過時の冷媒の乾き度が小さくなるので、冷媒通過音はこの点からも小さくなる。また、膨張弁２０の弁室２２の内面形状、貫通孔５３を形成する面形状及び弁座５２を形成する面形状が冷媒流に対応する滑らかな形状とされているので、膨張弁２０を通過する冷媒の急激な方向転換や断面形状変化による乱れを緩和することで圧力変動を抑制でき、冷媒通過音をより効果的に小さくすることができる。
【００４４】
【発明の効果】
本発明に係る二相冷媒流用整流装置によれば、ステッピングモータにより駆動されるニードル弁部と、ニードル弁部が離接する弁座と、弁座が中央部に形成された弁座形成壁と、弁座形成壁の一方側に形成された弁室と、弁座を取り巻くように弁座形成壁に形成された貫通孔と、貫通孔を介し弁室に連通するように弁座形成壁の他方側に接続された外管部、及び、弁座を介し弁室に連通するように外管部と同心状に弁座形成壁の他方側に接続された内管部からなる冷媒出入口配管部とを備えているので、内管部からの放射音が外管部で遮音される。これにより従来の膨張弁に比し冷媒出入口配管部からの音の放射が低減される。また、弁座通過前の冷媒が弁座通過後の冷媒により冷却されるので、弁座通過前の冷媒の乾き度が小さくなり、冷媒通過音が低減される。
【００４５】
また、本発明に係る二相冷媒流用整流装置によれば、弁室の内面形状、貫通孔を形成する面形状、及び、弁座を形成する面形状を冷媒流に対応する滑らかな形状とされているので、冷媒の急激な方向転換や断面形状変化による乱れを緩和することで圧力変動を抑制でき、冷媒通過音の低減効果をより効果的に発揮させることができる。
【００４６】
また、このように構成された膨張弁を使用した冷凍装置では、冷媒通過音が小さくなり、静粛な運転が行える。
【図面の簡単な説明】
【図１】本発明の実施の形態１に係る多室型空気調和機の冷媒回路図である。
【図２】同空気調和機に用いられているステッピングモータ駆動膨張弁の縦断面図である。
【図３】同膨張弁における弁座形成壁の水平断面図である。
【図４】本発明の実施の形態２に係る冷房、暖房及び除湿運転可能な空気調和機の冷媒回路図である。
【図５】本発明の実施の形態３に係る冷暖房用空気調和機の冷媒回路図である。
【図６】従来公知のステッピングモータ駆動型膨張弁の基本的な構造を示す縦断面図である。
【符号の説明】
２０　　　（本発明に係る）膨張弁
２２　　　弁室
２５　　　冷媒出入口配管部
２６　　　仕切壁
２７　　　弁座形成壁
３０　　　ステッピングモータ
４１　　　弁棒
４３　　　ニードル弁部
４５　　　内管部
４６　　　外管部
５２　　　弁座
５３　　　貫通孔
【図１】
2004093016.tif 000003
【図２】
2004093016.tif 000004
【図３】
2004093016.tif 000005
【図４】
2004093016.tif 000006
【図５】
2004093016.tif 000007
【図６】
2004093016.tif 000008